(57)【要約】【課題】ＨｅｔＮｅｔにおいて、下り制御チャネル用の無線リソース領域を拡張する場合であっても通信を適切に行うこと。【解決手段】マクロセルを形成するマクロ基地局と、マクロセルと少なくとも一部が重複するようにスモールセルを形成するスモール基地局と、を具備する無線通信システムにおける無線通信方法であって、スモール基地局は、ユーザ端末の固有制御情報を生成する工程と、固有制御情報に対して各ユーザの固有情報を利用するスクランブル系列を用いてスクランブルする工程と、スモールセル内のユーザ端末に対して、下り共有データチャネルと周波数分割多重される拡張下り制御チャネルを用いて固有制御情報を送信する工程とを設ける。【選択図】図４
2014082676.tif 000002
【特許請求の範囲】
【請求項１】
マクロセルを形成するマクロ基地局と、前記マクロセルと少なくとも一部が重複するようにスモールセルを形成するスモール基地局と、を具備する無線通信システムにおける無線通信方法であって、
前記スモール基地局は、ユーザ端末の固有制御情報を生成する工程と、前記固有制御情報に対して各ユーザの固有情報を利用するスクランブル系列を用いてスクランブルする工程と、前記スモールセル内のユーザ端末に対して、下り共有データチャネルと周波数分割多重される拡張下り制御チャネルを用いて前記固有制御情報を送信する工程と、を有することを特徴とする無線通信方法。
【請求項２】
前記マクロ基地局は、前記マクロセル内のユーザ端末に対して、前記固有制御情報が割当てられる拡張下り制御チャネルのリソース情報を通知することを特徴とする請求項１に記載の無線通信方法。
【請求項３】
前記各ユーザの固有情報を利用するスクランブル系列の初期値が以下の式（３）で定義されることを特徴とする請求項１又は請求項２に記載の無線通信方法。
【数１】
2014082676.tif 000009
【請求項４】
前記スモール基地局は、ユーザ端末共通の共通制御情報を生成する工程と、前記共通制御情報に対してスモール基地局の固有情報を利用するスクランブル系列を用いてスクランブルする工程と、前記スモールセル内のユーザ端末に対して、下り共有データチャネルと周波数分割多重される拡張下り制御チャネルを用いて前記共通制御情報を送信する工程と、をさらに有することを特徴とする請求項１に記載の無線通信方法。
【請求項５】
前記スモール基地局の固有情報を利用するスクランブル系列の初期値が以下の式（４）で定義されることを特徴とする請求項４に記載の無線通信方法。
【数２】
2014082676.tif 000010
【請求項６】
前記スモール基地局は、前記スモール基地局の固有情報を、ディスカバリ信号、チャネル状態情報測定用参照信号の構成、又は同期信号を利用してユーザ端末に通知することを特徴とする請求項４又は請求項５に記載の無線通信方法。
【請求項７】
前記ユーザ端末に対して、複数の拡張下り制御チャネルセットが設定され、前記複数の拡張下り制御チャネルセットのうち、少なくとも１つのセットに対して前記固有制御情報が割当てられ、少なくとも他の１つのセットに対して前記共通制御情報が割当てられることを特徴とする請求項４に記載の無線通信方法。
【請求項８】
マクロセルを形成するマクロ基地局と、前記マクロセルと少なくとも一部が重複するようにスモールセルを形成するスモール基地局と、を具備する無線通信システムであって、
前記スモール基地局は、ユーザ端末の固有制御情報を生成する生成部と、前記固有制御情報に対して各ユーザの固有情報を利用するスクランブル系列を用いてスクランブルするスクランブル部と、前記スモールセル内のユーザ端末に対して、下り共有データチャネルと周波数分割多重される拡張下り制御チャネルを用いて前記固有制御情報を送信する送信部と、を有することを特徴とする無線通信システム。
【請求項９】
マクロ基地局が形成するマクロセルと少なくとも一部が重複するようにスモールセルを形成するスモール基地局であって、
ユーザ端末の固有制御情報を生成する生成部と、
前記固有制御情報に対して各ユーザの固有情報を利用するスクランブル系列を用いてスクランブルするスクランブル部と、
前記スモールセル内のユーザ端末に対して、下り共有データチャネルと周波数分割多重される拡張下り制御チャネルを用いて前記固有制御情報を送信する送信部と、を有することを特徴とするスモール基地局。
【請求項１０】
マクロセルを形成するマクロ基地局及び前記マクロセルと少なくとも一部が重複するようにスモールセルを形成するスモール基地局と接続するユーザ端末であって、
前記スモール基地局から各ユーザの固有情報を利用するスクランブル系列を用いてスクランブルされたユーザ端末固有の制御情報を受信すると共に、前記マクロ基地局から前記固有制御情報が割当てられる拡張下り制御チャネルのリソース情報を受信する受信部と、
前記固有制御情報を用いて前記下り共有データチャネルに割当てられるユーザデータを復調する復調部と、を有することを特徴とするユーザ端末。
【発明の詳細な説明】
【技術分野】
【０００１】
本発明は、マクロセルとスモールセルとの少なくとも一部が重複するように配置される次世代移動通信システムにおける無線通信方法、無線通信システム、無線基地局及びユーザ端末に関する。
【背景技術】
【０００２】
ＵＭＴＳ（Universal  Mobile  Telecommunications  System）ネットワークにおいて、さらなる高速データレート、低遅延などを目的としてロングタームエボリューション（ＬＴＥ:Long  Term  Evolution）が検討されている（非特許文献１）。ＬＴＥではマルチアクセス方式として、下り回線（下りリンク）にＯＦＤＭＡ（Orthogonal  Frequency  Division  Multiple  Access）をベースとした方式を用い、上り回線（上りリンク）にＳＣ−ＦＤＭＡ（Single  Carrier  Frequency  Division  Multiple  Access）をベースとした方式を用いている。
【０００３】
また、ＬＴＥからのさらなる広帯域化及び高速化を目的として、ＬＴＥの後継システムも検討されている（例えば、ＬＴＥアドバンスト又はＬＴＥエンハンスメントと呼ぶこともある（以下、「ＬＴＥ−Ａ」という））。ＬＴＥ−Ａシステムでは、半径数キロメートル程度の広範囲のカバレッジエリアを有するマクロセル内に、半径数十メートル程度の局所的なカバレッジエリアを有するスモールセル（例えば、ピコセル、フェムトセルなど）が形成されるＨｅｔＮｅｔ（Heterogeneous  network）が検討されている（例えば、非特許文献１）。
【先行技術文献】
【非特許文献】
【０００４】
【非特許文献１】3GPP  TR  25.913“Requirements  for  Evolved  UTRA  and  Evolved  UTRAN”
【発明の概要】
【発明が解決しようとする課題】
【０００５】
上述のＨｅｔＮｅｔは、マクロセルとスモールセルとの少なくとも一部が地理的に重複して配置される無線通信システムである。このため、マクロセルとスモールセルとの間での干渉を低減するために、干渉コーディネーション（ｅＩＣＩＣ：enhanced  Inter-Cell  Interference  Coordination）を行うことが望まれる。
【０００６】
また、ＬＴＥ−Ａなどの将来のシステムでは、異なるユーザの送信情報系列を同一リソースに割当てて、複数送信アンテナから送信するマルチユーザＭＩＭＯ（ＭＵ−ＭＩＭＯ：Multiple  User  MIMO）伝送が検討されている。このＭＵ−ＭＩＭＯ伝送は、ＨｅｔｎｅｔやＣｏＭＰ（Coordinated  Multi-Point）伝送にも適用される。一方で、この将来のシステムでは、下り制御情報を伝送する下り制御チャネルの容量の不足により、ＭＵ−ＭＩＭＯ伝送等のシステム特性を十分に発揮できない恐れがある。
【０００７】
そこで、下り制御チャネル用の無線リソース領域を拡張して、より多くの下り制御情報を伝送することが検討されている。例えば、下り共有データチャネル用の無線リソース領域において下り制御情報を伝送することが考えられる。したがって、ＨｅｔＮｅｔにおいて、下り共有データチャネル用の無線リソース領域を用いて下り制御情報を伝送する場合の適切な通信方法が望まれる。
【０００８】
本発明は、かかる点に鑑みてなされたものであり、ＨｅｔＮｅｔにおいて、下り制御チャネル用の無線リソース領域を拡張する場合であっても通信を適切に行うことができる無線通信方法、無線通信システム、無線基地局及びユーザ端末を提供することを目的とする。
【課題を解決するための手段】
【０００９】
本発明の無線通信方法は、マクロセルを形成するマクロ基地局と、前記マクロセルと少なくとも一部が重複するようにスモールセルを形成するスモール基地局と、を具備する無線通信システムにおける無線通信方法であって、前記スモール基地局は、ユーザ端末の固有制御情報を生成する工程と、前記固有制御情報に対して各ユーザの固有情報を利用するスクランブル系列を用いてスクランブルする工程と、前記スモールセル内のユーザ端末に対して、下り共有データチャネルと周波数分割多重される拡張下り制御チャネルを用いて前記固有制御情報を送信する工程と、を有することを特徴とする。
【発明の効果】
【００１０】
本発明によれば、ＨｅｔＮｅｔにおいて、下り制御チャネル用の無線リソース領域を拡張する場合であっても通信を適切に行うことができる。
【図面の簡単な説明】
【００１１】
【図１】ＨｅｔＮｅｔの概念図である。
【図２】拡張ＰＤＣＣＨのフレーム構成の一例を示す図である。
【図３】ユーザ固有制御情報をスモール基地局のセルＩＤでスクランブルする際の送信の一例を示す図である。
【図４】本実施の形態に係るユーザ固有制御情報の送信の一例を示す図である。
【図５】ディスカバリ信号の配置構成の一例を示す図である。
【図６】本実施の形態に係るユーザ共通制御情報の送信の一例を示す図である。
【図７】拡張ＰＤＣＣＨセットの一例を示す図である。
【図８】本実施の形態に係るユーザ固有制御情報及びユーザ共通制御情報の送信の一例を示す図である。
【図９】本実施の形態に係る無線通信システムの一例を示す概略図である。
【図１０】本実施の形態に係るスモール基地局の全体構成の説明図である。
【図１１】本実施の形態に係るユーザ端末の全体構成の説明図である。
【図１２】本実施の形態に係るスモール基地局のベースバンド処理部及び一部の上位レイヤを示す機能構成図である。
【図１３】本実施の形態に係るユーザ端末のベースバンド処理部の機能構成図である。
【発明を実施するための形態】
【００１２】
図１は、ＨｅｔＮｅｔの概念図である。図１に示すように、ＨｅｔＮｅｔは、マクロセルを形成する無線基地局（以下、マクロ基地局という）と、スモールセルを形成する無線基地局（以下、スモール基地局という）と、マクロ基地局及び／又はスモール基地局に接続するユーザ端末（ＵＥ：User  Equipment）と、を含む。なお、マクロ基地局は、ｅＮｏｄｅＢ（ｅＮＢ）、マクロｅＮＢ（ＭｅＮＢ）、送信ポイント等と称されてもよい。また、スモール基地局は、ピコｅＮＢ、フェムトｅＮＢ、送信ポイント等と称されてもよい。
【００１３】
マクロセルは、相対的に広範なカバレッジ（例えば、半径１０ｋｍ程度）を有するセルであり、ワイドエリア等と称されても良く、セクタであってもよい。また、スモールセルは、局所的なカバレッジを有するセル（例えば、半径数十メートル程度）であり、ローカルエリア、ピコセル、ナノセル、フェムトセル、マイクロセル、ｅＬＡ（enhanced  Local  Area）セル等と称されてもよい。
【００１４】
ＨｅｔＮｅｔでは、図１に示すように、マクロセルと各スモールセルとの少なくとも一部とが地理的に重複するように、マクロ基地局と各スモール基地局とが配置される。マクロ基地局と各スモール基地局とは、例えば、光ファイバ、Ｘ２インターフェース等の有線リンクを介して接続されるが、無線リンクを介して接続されてもよい。
【００１５】
ところで、近年のスマートフォンの普及などにより急増するトラヒックに対してキャパシティを増大することは、無線アクセス技術における重要な要求条件である。そのため、上記図１に示すように、周波数帯域が高い領域を利用して１００ＭＨｚを超える広帯域化を実現しつつ、高密度なネットワークを展開していくことが検討されている。特に、スモールセルを用いたローカルエリアにおける無線アクセス技術の拡張が、今後ますます重要になっていくと考えられる。
【００１６】
現在検討されている無線アクセス技術の一つとして、マクロセル（マクロ基地局）でカバレッジを確保しつつ、スモールセル（スモール基地局）でキャパシティの増大を実現する、マクロアシスト型アクセス方式がある。マクロアシスト型アクセス方式では、例えば、マクロセルで既存の周波数バンドを用いてＣ−ｐｌａｎｅを確立して接続性やモビリティを維持し、スモールセルでＵ−ｐｌａｎｅを確立してユーザデータを選択的に送信することにより、高いスループットを実現する。
【００１７】
また、スモールセルにおいて、ＣＲＳ（Cell-specific  Reference  Signal）の挿入間隔の低減又はＣＲＳの割当てを行わないことや、既存の下り制御チャネル（ＰＤＣＣＨ）の割当てを行わないサブフレーム構成（ＮＣＴ：Ｎｅｗ  Ｃａｒｒｉｅｒ  Ｔｙｐｅ）を利用することが検討されている。スモールセルにおいて、このようなサブフレーム構成を利用することにより、干渉を効果的に低減すると共にオーバーヘッドを削減することができる。なお、Ｎｅｗ  Ｃａｒｒｉｅｒ  Ｔｙｐｅを用いるセルは、従来セルと区別するためにファントムセル（Ｐｈａｎｔｏｍ  ｃｅｌｌ）と呼ぶことがある。
【００１８】
このようなマクロアシスト型アクセス方式では、スモールセル間のハンドオーバに必要な上位レイヤのシグナリングを低減するため、ユーザ端末がスモールセルを意識しないで通信できる構成とすることが望ましい。
【００１９】
ところで、ＬＴＥ  Ｒｅｌ．１１以降のシステムでは、下り制御情報を伝送する下り制御チャネルの容量を確保するために、下り制御チャネル用の無線リソース領域を拡張して、より多くの下り制御情報を伝送することが検討されている。具体的には、サブフレームの先頭から最大３ＯＦＤＭシンボルの制御領域以外にＰＤＣＣＨの割当て領域を拡張する（４ＯＦＤＭシンボル以降の既存のＰＤＳＣＨ領域にＰＤＣＣＨ領域を拡張する）ことが考えられる。ＰＤＣＣＨ領域の拡張方法としては、図２Ａに示すように、既存のＰＤＳＣＨ領域においてＰＤＳＣＨとＰＤＣＣＨとを周波数分割多重する方法（ＦＤＭアプローチ）が考えられる。
【００２０】
図２Ａに示すＦＤＭアプローチでは、サブフレームの４ＯＦＤＭシンボル以降の全ＯＦＤＭシンボルにおいてシステム帯域の一部にＰＤＣＣＨが配置される。このＦＤＭアプローチによりＰＤＳＣＨと周波数分割多重されるＰＤＣＣＨは、ユーザ固有の参照信号である復調用参照信号（ＤＭ−ＲＳ：DeModulation-Reference  Signal）を用いて復調される。このため、かかるＰＤＣＣＨで伝送されるＤＣＩは、ＰＤＳＣＨで伝送される下りデータと同様に、ビームフォーミングゲインを得ることができ、ＰＤＣＣＨのキャパシティの増大に有効である。
【００２１】
また、上述したように、サブフレームにおいて先頭から所定のＯＦＤＭシンボル（最大３ＯＦＤＭシンボル）までに既存のＰＤＣＣＨが配置されないＮｅｗ  Ｃａｒｒｉｅｒ  Ｔｙｐｅ（Extension  carrier）が検討されている。このＮｅｗ  Ｃａｒｒｉｅｒ  Ｔｙｐｅのサブフレームでは、先頭から最大３ＯＦＤＭシンボルの領域も含めて拡張ＰＤＣＣＨやＰＤＳＣＨを割当てることが可能となる。例えば、図２Ｂに示すように、サブフレームを構成する全ＯＦＤＭシンボルにおいて、システム帯域の一部のＰＲＢ（ここでは、ＰＲＢ２、４、７、１０）に拡張ＰＤＣＣＨが割当てられ、残りのＰＲＢにＰＤＳＣＨが割当てられる。
【００２２】
拡張ＰＤＣＣＨが割当てられる無線リソース（例えば、ＰＲＢペア、ＲＢＧ等）情報は、上位レイヤシグナリング（例えば、ＲＲＣシグナリング）で無線基地局からユーザ端末に通知することができる。ユーザ端末は、通知された情報に基づいて、拡張ＰＤＣＣＨに含まれる制御情報（ＤＣＩ）を用いてユーザデータ（ＰＤＳＣＨ信号）の復調を行う。
【００２３】
ところで、図１に示すＨｅｔＮｅｔにおいては、異なるセル間の干渉を低減するために、セル毎に異なるスクランブル系列やインタリーブパターンを用いることにより、干渉のランダム化を図ることが考えられる。なお、インタリーブパターンは、巡回シフト（Cyclic  Shift）で用いられるシフトパターンや、周波数オフセット値などを含んでよい。
【００２４】
例えば、既存のＰＤＣＣＨ信号におけるセル固有情報を利用したスクランブル系列（スクランブルの初期値）は、式（１）に基づいて定められる。また、セル固有情報のシフトパターンは、例えば、式（２）に基づいて定められる。
【数１】
2014082676.tif 000003
【００２５】
式（１）及び（２）において、
【数２】
2014082676.tif 000004
は、セル毎に異なるセル固有情報（セルＩＤ）である。このセルＩＤに基づいてセル固有のスクランブル系列やシフトパターンが生成される。これにより、セルＩＤが異なるセル間で異なるスクランブル系列やシフトパターンが用いられるので、ＰＤＣＣＨ間の干渉をランダム化（均一化）できる。
【００２６】
同様に、ＰＣＦＩＣＨ信号やＰＨＩＣＨ信号などの他の下り制御信号についても、セル固有のスクランブル系列やインタリーブパターン（周波数オフセット値などを含む）を用いることで、干渉をランダム化（均一化）できる。
【００２７】
そのため、上記図２に示した拡張ＰＤＣＣＨに対しても、既存のＰＤＣＣＨ等の制御情報と同様に、セル固有情報を利用したスクランブル系列やインタリーブパターン（周波数オフセット値などを含む）を適用することが考えられる。
【００２８】
しかし、図１において、スモールセル毎に拡張ＰＤＣＣＨ用の無線リソースやセルＩＤを設定（configure）する場合、ユーザ端末がマクロセル内のスモールセル間を移動する際に、拡張ＰＤＣＣＨのリソース情報等を上位レイヤシグナリング（例えば、ＲＲＣシグナリング）で通知する必要が生じる（図３参照）。その結果、ユーザ端末が複数のスモールセル間を頻繁に移動する場合には、上位レイヤシグナリングの通知回数が増大し、無線リソースの有効活用が困難となる。このように、スモールセル毎に拡張ＰＤＣＣＨ用の無線リソースやセルＩＤを設定（configure）する場合、ユーザ端末は常にスモールセルを意識して通信する構成となる。
【００２９】
一方で、マクロセル内のスモールセルに対して共通の拡張ＰＤＣＣＨ用のリソースやセルＩＤを設定する場合、スモールセル間で共通のリソースやスクランブル系列を利用することとなるため、拡張ＰＤＣＣＨに割当てられる下り制御情報が干渉するおそれがある。
【００３０】
そこで、本発明者らは、スモールセル（スモール基地局）から、ＵＥ固有サーチスペース（ＵＥ−ＳＳ：UE-specific  Search  Space）となる所定の拡張ＰＤＣＣＨを用いてユーザ固有制御情報を送信する構成とし、当該ユーザ固有制御情報に対して、各ユーザ固有の情報を利用したスクランブル系列を用いてスクランブルすることを着想した。また、当該所定の拡張ＰＤＣＣＨ用のリソース情報は、マクロ基地局においてユーザ毎に設定して通知する構成とすることを着想した。
【００３１】
具体的には、スモール基地局は、スモールセル内のユーザ端末に対して所定の拡張ＰＤＣＣＨを介して、ユーザ固有情報を利用したスクランブル系列を用いてスクランブルされたユーザ固有制御情報を送信し、マクロ基地局は、マクロセル内のユーザ端末に対して当該所定の拡張ＰＤＣＣＨのリソース情報を通知することを着想した。これにより、ユーザ端末が異なるスモールセル間を移動する場合であっても、拡張ＰＤＣＣＨのリソース情報を通知する上位レイヤシグナリングを省略すると共に、拡張ＰＤＣＣＨ間の干渉を低減することができる。
【００３２】
また、本発明者らは、ユーザ端末共通の共通制御情報については、送信ポイント（スモール基地局又はマクロ基地局）固有の情報（オフセット値）を用いて、当該共通制御情報のスクランブルの初期値及び／又は拡張ＰＤＣＣＨ用のリソースの位置を制御することを着想した。
【００３３】
具体的には、スモール基地局（又は、マクロ基地局）は、共通サーチスペース（ＣＳＳ：Common  Search  Space）となる所定の拡張ＰＤＣＣＨを介して、スモール基地局（又は、マクロ基地局）固有の情報（オフセット値）を利用したスクランブル系列を用いてスクランブルされたユーザ共通制御情報を送信する。さらに、スモール基地局（又は、マクロ基地局）は、ディスカバリ信号（Ｄｉｓｃｏｖｅｒｙ  ｓｉｇｎａｌ）、ＣＳＩ−ＲＳ構成、又は同期信号（ＰＳＳ／ＳＳＳ）を利用してユーザ端末にオフセット値を通知することを着想した。
【００３４】
なお、ＵＥ固有サーチスペースとは、各ユーザ端末が固有制御情報をブラインドデコーディングすべき範囲を示すものである。また、ＵＥ固有の制御情報とは、例えば、ＰＤＳＣＨの割り当て情報（DL  Assignment）や、ＰＵＳＣＨのスケジューリング情報（UL  grant）等が含まれる。また、共通サーチスペースとは、セル内のユーザ端末が共通制御情報をブラインドデコーディングすべき範囲を示すものである。
【００３５】
以下に本実施の形態について、図面を参照して具体的に説明する。
【００３６】
（第１の態様）
第１の態様では、スモールセル（スモール基地局）からユーザ端末に対して、ユーザ固有制御情報（ユーザ固有の拡張ＰＤＣＣＨ信号）を送信する。ユーザ固有制御情報は、拡張ＰＤＣＣＨに設定されるＵＥ固有サーチスペースに割当てられる。つまり、スモールセルからは、ユーザデータ（ＰＤＳＣＨ信号）と、ユーザ固有の拡張ＰＤＣＣＨ信号を送信することができる。
【００３７】
また、スモール基地局は、各ユーザ固有制御情報について、各ユーザ固有情報（例えば、Ｃ−ＲＮＴＩ、新しく定義されるＵＥ−ＩＤ（Secondary  cell  UE-ID、又はphantom  cell  UE-ID）等）を利用したスクランブル系列を用いてスクランブルを行う。例えば、スモール基地局は、既に規定されている下り共有データチャネル（ＰＤＳＣＨ）におけるスクランブル初期値を以下のように修正して利用することができる。
【００３８】
【数３】
2014082676.tif 000005
【００３９】
ｎＲＮＴＩは、ユーザ固有の情報であればよく、例えば、ＣＲＮＴＩ、新しく定義されるＵＥ−ＩＤ（Secondary  cell  UE-ID、又はPhantom  cell  UE-ID）等を用いることができる。ｎｓは、スロット番号（例えば、０〜１９）である。なお、拡張ＰＤＣＣＨのＣＲＣのビット数は１６ビットに限られず適宜設定することができる。
【００４０】
【数４】
2014082676.tif 000006
は、マクロセルＩＤ又は仮想セルＩＤとすることができる。仮想セルＩＤを用いる場合には、後述するディスカバリ信号を用いてユーザ端末に通知することができる。なお、式（３）において、マクロセルＩＤ（仮想セルＩＤ）を利用しないスクランブル初期値としてもよい。
【００４１】
例えば、図４に示すように、スモール基地局は、各スモールセル内のユーザ端末（ここでは、ユーザ端末Ｘ、Ｙ）に対して、所定の拡張ＰＤＣＣＨを介して、ユーザ固有情報を利用したスクランブル初期値（例えば、上記式（３））を用いてスクランブルされたユーザ固有制御情報を送信する。一方、マクロ基地局は、マクロセル内の異なるユーザ端末Ｘ、Ｙに対して、それぞれユーザ固有制御情報を割当てる拡張ＰＤＣＣＨのリソースを設定し、各ユーザ端末に上位レイヤシグナリング（例えば、ＲＲＣシグナリング）等で通知する。なお、マクロ基地局は、各ユーザ端末に対して、同一のリソース（例えば、ＰＲＢペア、ＲＢＧ）を設定してもよいし、異なるリソースを設定してもよい。
【００４２】
これにより、ユーザ端末が異なるスモールセル間を移動する場合であっても、各ユーザ端末に設定される拡張ＰＤＣＣＨ用のリソースが変化しないため、拡張ＰＤＣＣＨのリソース情報やセルＩＤを通知するための上位レイヤシグナリングの通知を不要とすることができる。また、各ユーザ端末のユーザ固有制御情報は、ユーザ毎の固有情報でスクランブルされているため、異なるユーザ端末間で拡張ＰＤＣＣＨが重複する場合であっても、干渉を低減することができる。
【００４３】
（第２の態様）
第２の態様では、ユーザ端末共通の共通制御情報の送信について説明する。
【００４４】
ユーザ端末共通の共通制御情報については、送信ポイント（スモール基地局又はマクロ基地局）固有の情報をオフセット値として、共通制御情報のスクランブルの初期値及び／又は共通制御情報用を割当てる拡張ＰＤＣＣＨのリソースの位置を制御する。
【００４５】
例えば、スモール基地局は、共通サーチスペース（ＣＳＳ）となる所定の拡張ＰＤＣＣＨに割当てる共通制御情報に対して、スモール基地局固有情報（例えば、仮想セルＩＤ）を利用したスクランブル系列を用いてスクランブル処理を行う。
【００４６】
例えば、送信ポイントは、以下の式（４）を用いて共通制御情報のスクランブル初期値を定義することができる。
【００４７】
【数５】
2014082676.tif 000007
【００４８】
【数６】
2014082676.tif 000008
は、マクロセルＩＤ、仮想セルＩＤ（Ｖｉｒｔｕａｌ  ｃｅｌｌ  ＩＤ）とすることができる。
【００４９】
送信ポイント固有のオフセット値として、仮想セルＩＤを用いる場合には、ディスカバリ信号（例えば、直交リソースインデックス）を利用してユーザ端末に通知することができる。また、チャネル状態情報推定用参照信号の構成（ＣＳＩ−ＲＳ  ｃｏｎｆｉｇｕｒａｔｉｏｎ）を用いてユーザ端末にオフセット値を通知することができる。他にも、同期信号（ＰＳＳ／ＳＳＳ）より求めるセルＩＤを用いてユーザ端末にオフセット値を通知することができる。ユーザ端末は、上記いずれかの信号から導出したオフセット値（セルＩＤ又は仮想のセルＩＤ）に基づいて、共通制御情報のスクランブル初期値及び／又は共通制御情報が割当てられる拡張ＰＤＣＣＨリソース情報を特定することができる。
【００５０】
なお、ディスカバリ信号は、ローカルエリア用の無線通信方式の下りリンクにおいて定義される信号であり、ユーザ端末によるローカルエリア基地局装置（スモール基地局）の検出に用いられる検出信号である。下りリンクのディスカバリ信号は、ユーザ端末が測定回数を減らしてバッテリセービングできるように、比較的長周期（例えば、数秒周期）で送信される（図５参照）。なお、図５に示すディスカバリ信号の配置は、例示にすぎず、これに限られるものではない。また、ディスカバリ信号は、ＰＤＣＨ（Physical  Discovery  Channel）、ＢＳ（Beacon  Signal）、ＤＰＳ（Discovery  Pilot  Signal）等と呼ばれてもよい。
【００５１】
図６に示すように、ユーザ端末がスモールセルＡからスモールセルＢに移動する場合、スモールセルＡにおいては、共通制御情報がスモールセルＡの固有情報（例えば、セルＩＤ又は仮想セルＩＤ）を用いてスクランブルされる。一方で、スモールセルＢにおいては、共通制御情報がスモールセルＢの固有情報（例えば、セルＩＤ又は仮想セルＩＤ）を用いてスクランブルされる。
【００５２】
また、共通制御情報が割当てられる拡張ＰＤＣＣＨのリソースは、各スモールセルの固有情報に基づいて決定することができる。したがって、ユーザ端末がスモールセルＡからスモールセルＢに移動する場合、スモールセルＢから通知されるオフセット値（セルＩＤ又は仮想セルＩＤ）に基づいて、拡張ＰＤＣＣＨ用のリソースを特定すると共に、スクランブルの初期値を把握することができる。ユーザ端末は、スモールセルの固有情報を、ディスカバリ信号、ＣＳＩ−ＲＳ構成、又は同期信号等を利用して取得する。
【００５３】
なお、スモールセルからユーザ端末に対して共通制御情報を送信する場合、ユーザ端末は、スモールセルに初期接続することが可能となる。もちろん、第２の態様において、マクロ基地局からユーザ端末に対して共通制御情報を送信する構成としてもよい。この場合、スクランブル処理においてマクロセルＩＤを利用することができる。
【００５４】
（第３の態様）
ＬＴＥ  Ｒｅｌ．１１においては、複数の拡張ＰＤＣＣＨセット（Search  space）を設定（configure）することが合意されている。そこで、第３の態様では、複数の拡張ＰＤＣＣＨセットを設定する場合において、ユーザ固有制御情報（ＵＥ固有サーチスペース）と、ユーザ共通の共通制御情報（共通サーチスペース）の送信制御の一例について説明する。
【００５５】
まず、複数のｅＰＤＣＣＨセットについて図７を参照して説明する。図７Ａは、各ユーザ端末に対して複数の拡張ＰＤＣＣＨセットを設定する場合を示している。図７Ａに示すように、各拡張ＰＤＣＣＨセットは、拡張ＰＤＣＣＨに割り当てられる複数のＰＲＢペアを含んで構成される。なお、拡張ＰＤＣＣＨセットは、enhanced  ＰＤＣＣＨセット、ｅＰＤＣＣＨセット、Ｅ−ＰＤＣＣＨセット、単に、セット等と呼ばれてもよい。
【００５６】
図７Ａでは、ユーザ端末ＵＥ＃１−＃１０のそれぞれに対して、拡張ＰＤＣＣＨセット＃１及び＃２が重複して設定される。図７Ａでは、下り制御情報（ＤＣＩ）が伝送されるユーザ端末の数が所定数より少ない場合、一方の拡張ＰＤＣＣＨセット＃１だけにＤＣＩをマッピングすることができるため、他方の拡張ＰＤＣＣＨ＃２をＰＤＳＣＨのために利用可能となる。このように、各ユーザ端末に対して複数の拡張ＰＤＣＣＨセットを重複して設定することで、無線リソースの利用効率を向上させることができる。
【００５７】
このように、複数の拡張ＰＤＣＣＨセットを設定する場合、図８に示すように、複数セットのうち、所定セット（例えば、セット＃１）に対して上記第１の態様（ＵＥ−ＳＳ）を適用し、他方のセット（例えば、セット＃２）に対して上記第２の態様（Ｃｏｍｍｏｎ  ＳＳ）を適用する。
【００５８】
つまり、スモールセルＡに在圏するユーザ端末Ｘに対しては、セット＃１の拡張ＰＤＣＣＨリソースを介して、スモール基地局Ａから、ユーザＸ固有の情報を利用するスクランブル系列を用いてスクランブルしたユーザ固有制御情報を送信する。また、セット＃２の拡張ＰＤＣＣＨリソースを介して、スモール基地局Ａから、スモールセルＡに固有の情報（例えば、セルＩＤ又は仮想セルＩＤ）を用いてスクランブルした共通制御情報を送信する。
【００５９】
また、スモールセルＢに在圏するユーザ端末Ｙに対しては、セット＃１の拡張ＰＤＣＣＨリソースを介して、スモール基地局Ｂから、ユーザＹ固有の情報を利用するスクランブル系列を用いてスクランブルしたユーザ固有制御情報を送信する。また、セット＃２の拡張ＰＤＣＣＨリソースを介して、スモール基地局Ｂから、スモールセルＢに固有の情報（例えば、セルＩＤ又は仮想セルＩＤ）を用いてスクランブルした共通制御情報を送信する。
【００６０】
ユーザ固有制御情報を割当てるセット＃１の拡張ＰＤＣＣＨのリソースに関する情報は、マクロ基地局からユーザ端末Ｘ、Ｙに通知することができる。一方で、ユーザ共通制御情報を割当てるセット＃２の拡張ＰＤＣＣＨのリソース及び／又はスクランブル初期値は、各スモール基地局（又はマクロ基地局）からディスカバリ信号、ＣＳＩ−ＲＳ構成、又は同期信号を用いて通知される送信ポイント固有の情報に基づいて決定することができる。
【００６１】
これにより、ユーザ端末がマクロセル内の異なるスモールセル間を移動する場合であっても、拡張ＰＤＣＣＨ用のリソースやセルＩＤを通知するためにマクロ基地局からの上位レイヤシグナリングの通知を不要とすることができる。また、各ユーザ固有制御情報は、ユーザ毎の固有情報でスクランブルされているため、異なるユーザ端末間で拡張ＰＤＣＣＨが重複する場合であっても、干渉を低減することができる。
【００６２】
なお、各ユーザ端末に対して複数の拡張ＰＤＣＣＨセットが設定される場合、図７Ｂに示すように、各ユーザ端末に対して、プライマリセットとセカンダリセットとを設定してもよい。ここで、プライマリセットとは、全てのユーザ端末ＵＥに共通して設定される拡張ＰＤＣＣＨセットであり、共通サーチスペース（ＣＳＳ）として使用することができる。一方、セカンダリセットとは、少なくとも１つのユーザ端末ＵＥに個別に設定される拡張ＰＤＣＣＨセットであり、ユーザ固有サーチスペース（UE-specific  ＳＳ）として使用することができる。
【００６３】
図７Ｂでは、拡張ＰＤＣＣＨセット＃１がプライマリセットであり、拡張ＰＤＣＣＨセット＃２、＃３が、それぞれ、ユーザ端末ＵＥ＃１−＃８、＃９−＃１５のセカンダリセットである。この場合、セット＃２、＃３に対して固有制御情報を割当て（上記第１の態様（ＵＥ−ＳＳ）を適用し）、セット＃１に対して共通制御情報を割当てる（上記第２の態様（Ｃｏｍｍｏｎ  ＳＳ）を適用する）ことができる。
【００６４】
なお、各ユーザ端末ＵＥに対して複数の拡張ＰＤＣＣＨセットが設定される場合、ビットマップを用いて、当該複数の拡張ＰＤＣＣＨセットの構成（configuration）を各ユーザ端末ＵＥに通知することができる。
【００６５】
（無線通信システム）
以下、本実施の形態に係る無線通信システムの構成を説明する。
【００６６】
図９は、本実施の形態に係る無線通信システムの概略構成図である。なお、図９に示す無線通信システムは、例えば、ＬＴＥシステム或いは、その後継システムが包含されるシステムである。この無線通信システムでは、ＬＴＥシステムのシステム帯域を一単位とする複数の基本周波数ブロックを一体としたキャリアアグリゲーションが用いられている。また、この無線通信システムは、ＩＭＴ−Ａｄｖａｎｃｅｄと呼ばれても良いし、４Ｇと呼ばれても良い。
【００６７】
図９に示すように、無線通信システム１は、マクロセルＣ１を形成する無線基地局１１と、マクロセルＣ１よりも狭いスモールセルＣ２を形成する無線基地局１２ａ及び１２ｂとを備えている。図９に示すように、各スモールセルＣ２は、マクロセルＣ１と少なくとも一部が重複するように形成される。無線基地局１１及び無線基地局１２は、少なくとも一部が重複する周波数帯域を用いて、ユーザ端末２０と通信する。
【００６８】
本実施の形態では、無線基地局１１、無線基地局１２（１２ａ、１２ｂを含む）をそれぞれ、マクロ基地局１１、スモール基地局１２と称する。なお、マクロ基地局１１は、ｅＮｏｄｅＢ、無線基地局装置、送信ポイントなどと呼ばれてもよい。また、スモール基地局１２は、ピコ基地局、フェムト基地局、Ｈｏｍｅ  ｅＮｏｄｅＢ、ＲＲＨ（Remote  Radio  Head）、マイクロ基地局、送信ポイントなどと呼ばれてもよい。
【００６９】
また、ユーザ端末２０は、ＬＴＥ、ＬＴＥ−Ａなどの各種通信方式に対応した端末であり、移動通信端末だけでなく固定通信端末を含んでよい。本実施の形態では、ユーザ端末２０は、マクロ基地局１１と接続する場合ユーザ端末２１と表記され、スモール基地局１２と接続する場合ユーザ端末２２と表記されてもよいが、両者は同一の構成を有する。
【００７０】
図９に示すように、マクロ基地局１１及び各スモール基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）等が含まれるが、これに限定されるものではない。また、各スモール基地局１２は、マクロ基地局１１を介して上位局装置に接続されてもよい。
【００７１】
また、マクロ基地局１１及び各スモール基地局１２は、例えば、光ファイバやＸ２インターフェースで接続される。以下では、マクロ基地局１１及び各スモール基地局１２が、光ファイバなどで有線接続される例を説明するが、無線接続されてもよい。
【００７２】
無線通信システム１においては、無線アクセス方式として、下りリンクについてはＯＦＤＭＡ（直交周波数分割多元接続）が適用され、上りリンクについてはＳＣ−ＦＤＭＡ（シングルキャリア−周波数分割多元接続）が適用される。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域を端末毎に１つ又は連続したリソースブロックからなる帯域に分割し、複数の端末が互いに異なる帯域を用いることで、端末間の干渉を低減するシングルキャリア伝送方式である。
【００７３】
図９に示す無線通信システムで用いられる信号について説明する。下り信号は、下りデータ信号と、下り制御信号とを含む。下りデータ信号は、例えば、ユーザデータや上位レイヤ制御情報を伝送するＰＤＳＣＨ信号を含む。また、下り制御信号は、例えば、下り制御情報（ＤＣＩ）を伝送するＰＤＣＣＨ信号、制御フォーマット識別子（ＣＦＩ）を伝送するＰＣＦＩＣＨ信号、送達確認情報（ＡＣＫ／ＮＡＣＫ／ＤＴＸ）を伝送するＰＨＩＣＨ信号、下り制御情報（ＤＣＩ）を伝送し、ＰＤＳＣＨ信号と周波数分割多重される拡張ＰＤＣＣＨ信号などを含む。
【００７４】
同様に、上り信号は、上りデータ信号と、上り制御信号とを含む。上りデータ信号は、例えば、ユーザデータや上りレイヤ制御情報を伝送するＰＵＳＣＨ（Physical  Uplink  Shared  Channel）信号を含む。また、上り制御信号は、例えば、下りリンクのチャネル状態情報（ＣＳＩ）や送達確認情報（ＡＣＫ／ＮＡＣＫ／ＤＴＸ）を伝送するＰＵＣＣＨ（Physical  Uplink  Control  Channel）信号などを含む。
【００７５】
図１０は、本実施の形態に係るスモール基地局１２の全体構成図である。スモール基地局１２は、ＭＩＭＯ伝送のための複数の送受信アンテナ１０１と、アンプ部１０２と、送受信部１０３（送信部）と、ベースバンド信号処理部１０４と、呼処理部１０５と、伝送路インターフェース１０６とを備えている。
【００７６】
下りデータ信号については、上位局装置３０から伝送路インターフェース１０６を介してベースバンド信号処理部１０４に入力される。
【００７７】
ベースバンド信号処理部１０４では、ＰＤＣＰレイヤの処理、ユーザデータの分割・結合、ＲＬＣ（Radio  Link  Control）再送制御の送信処理などのＲＬＣレイヤの送信処理、ＭＡＣ（Medium  Access  Control）再送制御、例えば、ＨＡＲＱの送信処理、スケジューリング、伝送フォーマット選択、チャネル符号化、逆高速フーリエ変換（ＩＦＦＴ：Inverse  Fast  Fourier  Transform）処理、プリコーディング処理が行われて各送受信部１０３に転送される。また、下り制御信号に関しても、チャネル符号化や逆高速フーリエ変換等の送信処理が行われて、各送受信部１０３に転送される。
【００７８】
また、ベースバンド信号処理部１０４は、報知チャネルにより、ユーザ端末２０に対して、当該セルにおける通信のための報知情報を通知する。当該報知情報には、例えば、自セルのセルＩＤや、上りリンク又は下りリンクにおけるシステム帯域幅などが含まれる。
【００７９】
各送受信部１０３は、ベースバンド信号処理部１０４からアンテナ毎にプリコーディングして出力されたベースバンド信号を無線周波数帯に変換する。アンプ部１０２は、周波数変換された無線周波数信号を増幅して送受信アンテナ１０１により送信する。
【００８０】
一方、上り信号については、各送受信アンテナ１０１で受信された無線周波数信号がそれぞれアンプ部１０２で増幅され、各送受信部１０３で周波数変換されてベースバンド信号に変換され、ベースバンド信号処理部１０４に入力される。
【００８１】
ベースバンド信号処理部１０４では、入力されたベースバンド信号に含まれる上り信号に対して、ＦＦＴ処理、ＩＤＦＴ処理、誤り訂正復号、ＭＡＣ再送制御の受信処理、ＲＬＣレイヤ、ＰＤＣＰレイヤの受信処理がなされ、伝送路インターフェース１０６を介して上位局装置３０に転送される。呼処理部１０５は、通信チャネルの設定や解放等の呼処理や、スモール基地局１２の状態管理や、無線リソースの管理を行う。
【００８２】
また、マクロ基地局１１からスモール基地局１２に通知される制御情報は、伝送路インターフェース１０６を介して、ベースバンド信号処理部１０４に入力される。マクロ基地局１１から通知される制御情報には、例えば、マクロセルＣ１のセルＩＤや、マクロ基地局１１で設定される拡張ＰＤＣＣＨのリソース情報（例えば、ユーザ端末固有の制御情報が割当てられる拡張下り制御チャネルのリソース（ＰＲＢペア、ＲＢＧ）情報）などが含まれる。
【００８３】
図１１は、本実施の形態に係るユーザ端末２０の全体構成図である。ユーザ端末２０は、ＭＩＭＯ伝送のための複数の送受信アンテナ２０１と、アンプ部２０２と、送受信部（受信部）２０３と、ベースバンド信号処理部２０４と、アプリケーション部２０５とを備えている。
【００８４】
下りデータ信号については、複数の送受信アンテナ２０１で受信された無線周波数信号がそれぞれアンプ部２０２で増幅され、送受信部２０３で周波数変換されてベースバンド信号に変換される。このベースバンド信号は、ベースバンド信号処理部２０４でＦＦＴ処理や、誤り訂正復号、再送制御の受信処理等がなされる。この下りデータ信号に含まれるユーザデータは、アプリケーション部２０５に転送される。アプリケーション部２０５は、物理レイヤやＭＡＣレイヤより上位のレイヤに関する処理等を行う。また、下りデータ信号に含まれる報知情報もアプリケーション部２０５に転送される。
【００８５】
一方、上りデータ信号については、アプリケーション部２０５からベースバンド信号処理部２０４に入力される。ベースバンド信号処理部２０４では、再送制御（Ｈ−ＡＲＱ  （Ｈｙｂｒｉｄ  ＡＲＱ））の送信処理や、チャネル符号化、プリコーディング、ＤＦＴ処理、ＩＦＦＴ処理等が行われて各送受信部２０３に転送される。送受信部２０３は、ベースバンド信号処理部２０４から出力されたベースバンド信号を無線周波数帯に変換する。その後、アンプ部２０２は、周波数変換された無線周波数信号を増幅して送受信アンテナ２０１により送信する。
【００８６】
図１２は、本実施の形態に係るスモール基地局１２が有するベースバンド信号処理部１０４及び一部の上位レイヤの機能構成図である。なお、図１２においては、下り（送信）用の機能構成を主に示しているが、スモール基地局１２は、上り（受信）用の機能構成を備えてもよい。
【００８７】
図１２に示すように、スモール基地局１２は、上位レイヤ制御情報生成部３００、データ生成部３０１、チャネル符号化部３０２、変調部３０３、マッピング部３０４、下り制御情報（ＤＣＩ）生成部３０５、ＵＥ固有ＤＣＩ生成部３０６、ＵＥ共通ＤＣＩ生成部３０７、チャネル符号化部３０８、スクランブル部３０９、変調部３１０、インタリーブ部３１１、ＩＦＦＴ部３１２、マッピング部３１３、ウェイト乗算部３１４、ＣＰ挿入部３１５、スケジューリング部３１６を具備する。
【００８８】
なお、スモール基地局１２は、必ずしもこれら全ての構成を具備する必要はなく、例えば、スケジューリング情報をマクロ基地局１１から受信して動作する場合には、スケジューリング部３１６が不要となる。また、スモール基地局１２が、サブフレーム構成としてＮｅｗ  Ｃａｒｒｉｅｒ  Ｔｙｐｅを利用する場合には、既存のＰＤＳＣＨに対して下り制御情報（ＤＣＩ）の割当てを行わない。
【００８９】
上位レイヤ制御情報生成部３００は、ユーザ端末２０毎に上位レイヤ制御情報を生成する。上位レイヤ制御情報は、上位レイヤシグナリング（例えば、ＲＲＣシグナリング）される制御情報である。データ生成部３０１は、ユーザ端末２０毎に下りユーザデータを生成する。
【００９０】
データ生成部３０１で生成された下りユーザデータと上位レイヤ制御情報生成部３００で生成された上位レイヤ制御情報とは、ＰＤＳＣＨ信号として、チャネル符号化部３０２に入力される。チャネル符号化部３０２は、各ユーザ端末２０に対するＰＤＳＣＨ信号を、各ユーザ端末２０からのフィードバック情報に基づいて決定された符号化率に従ってチャネル符号化する。変調部３０３は、チャネル符号化されたＰＤＳＣＨ信号を各ユーザ端末２０からのフィードバック情報に基づいて決定された変調方式に従って変調する。マッピング部３０４は、スケジューリング部３１６からの指示に従って、変調されたＰＤＳＣＨ信号を無線リソース（例えば、リソース要素）にマッピングする。
【００９１】
ＤＣＩ生成部３０５は、スケジューリング部３１６からのスケジューリング情報に基づき、下り制御情報（ＤＣＩ）を生成する。また、ＤＣＩ生成部３０５は、ＵＥ固有（UE-specific）の制御情報を生成するＵＥ固有ＤＣＩ生成部３０６と、セル共通（Cell-specific）の共通制御情報を生成するＵＥ共通ＤＣＩ生成部３０７と、を有している。ＵＥ固有の制御情報には、各ユーザ端末に対するＰＤＳＣＨの割り当て情報（ＤＬ  ａｓｓｉｇｎｍｅｎｔ）、ＰＵＳＣＨの割り当て情報（ＵＬ  ｇｒａｎｔ）などが含まれる。
【００９２】
また、ＤＣＩ生成部３０５は、ＰＤＣＣＨで伝送されるＤＣＩを、制御チャネル要素（ＣＣＥ）単位で生成し、拡張ＰＤＣＣＨで伝送されるＤＣＩを、拡張制御チャネル要素（ｅＣＣＥ）単位で生成することができる。また、ＣＣＥとｅＣＣＥのサイズ（ＲＥ数）は異なっていてもよいし、同一であってもよい。
【００９３】
チャネル符号化部３０８は、入力された下り制御信号を所定の符号化率でチャネル符号化する。具体的には、チャネル符号化部３０８は、ＤＣＩ生成部３０５から入力されるＰＤＣＣＨ信号、拡張ＰＤＣＣＨ信号をそれぞれチャネル符号化する。
【００９４】
スクランブル部３０９は、チャネル符号化された下り制御信号を所定のスクランブル系列を用いてチャネル符号化する。具体的には、スクランブル部３０９は、チャネル符号化されたユーザ固有の拡張ＰＤＣＣＨ信号（固有制御情報）を、各ユーザの固有情報（例えば、ＣＲＮＴＩ）を利用するスクランブル初期値（例えば、上記式（３））を用いてスクランブルする。また、スクランブル部３０９は、チャネル符号化されたユーザ共通の拡張ＰＤＣＣＨ信号（共通制御情報）を、スモール基地局の固有情報を利用するスクランブル初期値（例えば、上記式（４））を用いてスクランブルする。
【００９５】
変調部３１０は、スクランブルされた下り制御情報を所定の変調方式で変調する。具体的には、変調部３１０は、スクランブルされたＰＤＣＣＨ信号、拡張ＰＤＣＣＨ信号をそれぞれ変調する。なお、変調部３１０は、変調されたＰＤＣＣＨ信号をインタリーブ部３１１に出力する。一方、変調部３１０は、変調された拡張ＰＤＣＣＨ信号をマッピング部３１３に出力する。インタリーブ部３１１は、変調された下り制御信号をインタリーブする。
【００９６】
マッピング部３１３は、拡張ＰＤＣＣＨ信号を所定の無線リソース（例えば、リソース要素）にマッピングする。マッピング部３１３でマッピングされた拡張ＰＤＣＣＨ信号は、マッピング部３０４でマッピングされたＰＤＳＣＨ信号とともに、ウェイト乗算部３１４に入力される。ウェイト乗算部３１４は、ＰＤＣＳＨ信号、拡張ＰＤＣＣＨ信号、復調用参照信号に対して、ユーザ端末２０固有のプリコーディングウェイトを乗算し、プリコーディングを行う。
【００９７】
ＩＦＦＴ部３１２は、インタリーブ部３１１及びウェイト乗算部３１４からの入力信号に対して逆高速フーリエ変換処理を行い、周波数領域の信号から時系列の信号に変換する。ＩＦＦＴ部３１２からの出力信号には、ＣＰ挿入部３１５によりガードインターバルとして機能するサイクリックプリフィクス（ＣＰ）が挿入され、送受信部１０３に出力される。
【００９８】
スケジューリング部３１６は、ＰＤＳＣＨ信号及び拡張ＰＤＣＣＨ信号のスケジューリングを行い、スケジューリング情報を生成する。スケジューリング部３１６は、生成したスケジューリング情報を、ＤＣＩ生成部３０５に出力する。
【００９９】
図１３は、ユーザ端末２０が有するベースバンド信号処理部１０４の機能構成図である。なお、図１３においては、下り（受信）用の機能構成を主に示しているが、ユーザ端末２０は、上り（送信）用の機能構成を備えてもよい。また、以下では、ユーザ端末２０が、スモール基地局１２に接続する場合を中心に説明を行うが、マクロ基地局１１にも接続可能である。
【０１００】
ユーザ端末２０は、ＣＰ除去部４０１、ＦＦＴ部４０２、デマッピング部４０３、デインタリーブ部４０４、ＰＤＣＣＨ復調部４０６、拡張ＰＤＣＣＨ復調部４０８、ＰＤＳＣＨ復調部４０９、チャネル推定部４１０を具備する。
【０１０１】
スモール基地局１２から送信された下り信号は、ＣＰ除去部４０１でサイクリックプリフィクス（ＣＰ）が除去される。ＣＰが除去された下り信号は、ＦＦＴ部４０２へ入力される。ＦＦＴ部４０２は、下り信号を高速フーリエ変換（ＦＦＴ：Fast  Fourier  Transform）して時間領域の信号から周波数領域の信号に変換し、デマッピング部４０３へ入力する。デマッピング部４０３は、下り信号をデマッピングする。なお、デマッピング部４０３によるデマッピング処理は、アプリケーション部２０５から入力される上位レイヤ制御情報に基づいて行われる。
【０１０２】
デインタリーブ部４０４は、デマッピングされた下り制御信号を、デインタリーブする。また、デインタリーブ部４０４は、デインタリーブされたＰＤＣＣＨ信号を、ＰＤＣＣＨ復調部４０６に出力する。
【０１０３】
ＰＤＣＣＨ復調部４０６は、チャネル推定部４１０によるチャネル推定結果に基づいて、デインタリーブ部４０４から出力されたＰＤＣＣＨ信号のブラインド復号、復調、デスクランブル、チャネル復号などを行う。具体的には、ＰＤＣＣＨ復調部４０６は、マクロ基地局１１と同一のスクランブル系列又は自セルに固有のスクランブル系列を用いて、ＰＤＣＣＨ信号をデスクランブルする。
【０１０４】
拡張ＰＤＣＣＨ復調部４０８は、チャネル推定部４１０によるチャネル推定結果に基づいて、拡張ＰＤＣＣＨ信号のデインタリーブ、ブラインド復号、復調、デスクランブル、チャネル復号などを行う。
【０１０５】
具体的には、拡張ＰＤＣＣＨ復調部４０８は、ユーザ固有の制御情報に対しては、当該ユーザの固有情報を利用したスクランブル系列を用いてデスクランブルを行う。なお、ユーザ固有制御情報が割当てられる拡張ＰＤＣＣＨのリソース情報は、マクロ基地局１１から通知される。また、拡張ＰＤＣＣＨ復調部４０８は、ユーザ共通の共通制御情報に対しては、スモール基地局１２又はマクロ基地局１１の固有情報（例えば、セルＩＤ又は仮想セルＩＤ）を利用するスクランブル系列を用いてデスクランブルを行う。送信ポイントの固有情報は、ディスカバリ信号、ＣＳＩ−ＲＳ構成情報又は同期信号を利用して取得することができる。
【０１０６】
ＰＤＳＣＨ復調部４０９は、チャネル推定部４１０によるチャネル推定結果に基づいて、デマッピング部４０３から出力されたＰＤＳＣＨ信号の復調、チャネル復号などを行う。具体的には、ＰＤＳＣＨ復調部４０９は、ＰＤＣＣＨ復調部４０６又は拡張ＰＤＣＣＨ復調部４０８で復調されたＤＣＩに基づいて自端末に割り当てられたＰＤＳＣＨ信号を復調し、自端末宛ての下りデータ（下りユーザデータ及び上位レイヤ制御情報）を取得する。
【０１０７】
チャネル推定部４１０は、復調用参照信号（ＤＭ−ＲＳ）、測定用参照信号（ＣＲＳ、ＣＳＩ−ＲＳ）などを用いてチャネル推定を行う。チャネル推定部４１０は、測定用参照信号（ＣＲＳ、ＣＳＩ−ＲＳ）によるチャネル推定結果をＰＤＣＣＨ復調部４０６に出力する。一方、チャネル推定部４１０は、復調用参照信号（ＤＭ−ＲＳ）によるチャネル推定結果をＰＤＳＣＨ復調部４０９、拡張ＰＤＣＣＨ復調部４０８に出力する。
【０１０８】
以上のように、本実施の形態に係る無線通信システム１によれば、スモール基地局１２が、拡張ＰＤＣＣＨに割当てるユーザ端末固有の制御情報に対して、各ユーザの固有情報を利用するスクランブル初期値を用いてスクランブルし、所定の拡張ＰＤＣＣＨを介してユーザ端末に送信する。また、ユーザ端末は、ユーザ端末固有の制御情報が割当てられる拡張ＰＤＣＣＨのリソース情報をマクロ基地局１１から取得して、当該ユーザ固有の情報を用いて受信した固有制御情報のデスクランブルを行う。これにより、ユーザ端末が異なるスモールセル間を移動する場合であっても、各ユーザ端末に設定される拡張ＰＤＣＣＨ用のリソースが変化しないため、拡張ＰＤＣＣＨ用のリソース情報やセルＩＤを通知するための上位レイヤシグナリングの通知を不要とすることができる。また、拡張ＰＤＣＣＨに割当てられるユーザ固有制御情報は、ユーザ毎の固有情報でスクランブルされているため、異なるユーザ端末間で拡張ＰＤＣＣＨが重複する場合であっても、干渉を低減することができる。
【０１０９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。また、上記第１の態様、第２の態様及び第３の態様は適宜組み合わせて適用することができる。従って、本明細書の記載は、例示説明を目的とするものであり、本発明に対して何ら制限的な意味を有するものではない。
【符号の説明】
【０１１０】
１…無線通信システム
１１…マクロ基地局
１２…スモール基地局
２０、２１、２２…ユーザ端末
３０…上位局装置
４０…コアネットワーク
１０１…送受信アンテナ
１０２…アンプ部
１０３…送受信部
１０４…ベースバンド信号処理部
１０５…呼処理部
１０６…伝送路インターフェース
２０１…送受信アンテナ
２０２…アンプ部
２０３…送受信部
２０４…ベースバンド信号処理部
２０５…アプリケーション部
３００…上位レイヤ制御情報生成部
３０１…データ生成部
３０２…チャネル符号化部
３０３…変調部
３０４…マッピング部
３０５…ＤＣＩ生成部
３０６…ＵＥ固有ＤＣＩ生成部
３０７…ＵＥ共通ＤＣＩ生成部
３０８…チャネル符号化部
３０９…スクランブル部
３１０…変調部
３１１…インタリーブ部
３１２…ＩＦＦＴ部
３１３…マッピング部
３１４…ウェイト乗算部
３１５…ＣＰ挿入部
３１６…スケジューリング部
４０１…ＣＰ除去部
４０２…ＦＦＴ部
４０３…デマッピング部
４０４…デインタリーブ部
４０６…ＰＤＣＣＨ復調部
４０８…拡張ＰＤＣＣＨ復調部
４０９…ＰＤＳＣＨ復調部
４１０…チャネル推定部
【図１】
2014082676.tif 000011
【図２】
2014082676.tif 000012
【図３】
2014082676.tif 000013
【図４】
2014082676.tif 000014
【図５】
2014082676.tif 000015
【図６】
2014082676.tif 000016
【図７】
2014082676.tif 000017
【図８】
2014082676.tif 000018
【図９】
2014082676.tif 000019
【図１０】
2014082676.tif 000020
【図１１】
2014082676.tif 000021
【図１２】
2014082676.tif 000022
【図１３】
2014082676.tif 000023